(57)【要約】      （修正有）【課題】照明ランプ交換が早くなり、時問や労力のかからない照明ランプ取外し装置を提供する。【解決手段】照明ランプ取外し装置は、各照明ランプ２０が各々取外し装置９０ないに固定され、その取外し装置は、反射ライトカバー１０底部に設置して各照明ランプの開槽１１箇所に対応する。その内部には凹槽９１が形成され、そこに照明ランプを納置する。凹槽の両側には定位部９２が成形され、その定位部によって敢外し装置を反射ライトカバー底部に定位させている。照明ランプを交換するとき、取外し装置を下に向けるだけで、反射ライトカバーが外れる。【選択図】図２
0003105418.tif 000002
【実用新案登録請求の範囲】
【請求項１】
直下式バックライトモジュールは内から外向きに反射ライトカバー、複数の光源、数枚の光学膜片及び保護面板の順に配置され、そのうち、光源は直線状もしくはＵ字型の照明ランプで、適する間隔で反射ライトカバーと光学膜ユニット間に設置される照明ランブ取外し装置において、
各照明ランプには、各々取外し装置が設置され、その取外し装置は反射ライトカバー底部に設置されて各照明ランプの開槽箇所に対応し、その内部には凹槽が形成されてそこに照明ランプが設置され、凹槽両側には定位部が伸び、その定位部によって、取外し装置が反射ライトカバー底部に定位するものであり、照明ランプを交換する時には取外し装置を下向きにするだけで反射ライトカバーが外れることを特徴とする照明ランプ取外し装置。
【請求項２】
前記光学膜片は、拡散板、1〜3枚の拡散片、0〜2枚のプリズム片、0〜1枚の反射式偏光片から構成されることを特徴とする請求項１記載の照明ランプ取外し装置。
【請求項３】
前記照明ランプは、シリコンカバーで照明ランプ両端を取外し装置内で固定することを特徴とする請求項１記載の照明ランプ取外し装置。
【請求項４】
前記取外し装置は、定位部と反射ライトカバーの貼り合わせ面に定位ピンを設置し、反射ライトカバーには定位孔を成形して対応させ、取外し装置の定位部と反射ライトカバーが相互に嵌合して固定することを特徴とする請求項１記載の照明ランプ取外し装置。
【請求項５】
前記取外し装置は、定位部と反射ライトカバーの貼り合わせ面上に固定孔を成形し、その反射ライトカバーにはネジを入れる定位孔を成形して対応させ、ネジで取外し装置の定位部と反射ライトカバーを相互に固定することを特徴とする請求項１記載の照明ランプ取外し装置。
【請求項６】
前記照明ランプは、反射ライトカバーに凸設もしくは凹設することを特徴とする請求項１記載の照明ランプ取外し装置。
【請求項７】
前記定位部は、凹槽両側の適所に複数凸設された定位部辺から構成されることを特徴とする請求項１記載の照明ランプ取外し装置。
【請求項８】
前記反射ライトカバーは、内側から反射材(例としてPETポリエチレン・テレフタラート)及び反射材外側のカバー体に固定してから構成されるか、もしくは金属材の反射材及び反射材外側に固定されたカバー体から構成されることを特徴とする請求項１記載の照明ランプ取外し装置。
【請求項９】
前記取外し装置は、接着剤によって定位部を反射ライトカバーの底部に貼るか、もしくは両面テープで定位部と反射ライトカバーを相互に固定することを特徴とする請求項１記載の照明ランプ取外し装置。
【考案の詳細な説明】
【技術分野】
【０００１】
本考案は、照明ランプ取外し装置に関するもので、直下式バックライトモジュールに使用するものである。
【背景技術】
【０００２】
図1に示すのは、一般の液晶ディスプレイに使用される直下式バックライトモジュール構造の断面図で、直下式バックライトモジュールの構造は、内から外に向かって順に、反射ライトカバー10、複数の光源、拡散板30、拡散片40、プリズム片50、反射式偏光片60、そして液晶面板70が設置される。そのうち、各光源は直線状、もしくはＵ字型、もしくはその他連続湾曲形状の照明ランプ20であり、反射ライトカバー10と拡散板30の間に適する間隔で設置されて反射ライトカバー10上に固定される。その液晶モジュールのディスプレイ効果は、各光源から放出された光線で構成される。また、市場に於いてよく見かけるこの拡散板30と液晶面板70の間の光学膜片は、1〜3枚の拡散片、0〜2枚のプリズム片、0〜1枚の反射式偏光片等が相互に合わさって構成される。その作用は、通過した光線を拡散させる作用を具え、各光源間の隙間部に光線が当たらず、液晶モジュール上に明暗地区が現れる現象を改善する。
【０００３】
しかし、この照明ランプには、一定の使用寿命があり、長時間の使用によって修理、もしくは新しい照明ランプヘの交換が必要になり、それが液晶面板に十分且つ平均的に光源を送る決め手となる。公知の直下式バックライトモジュール照明ランプの交換方法は、先ず反射ライトカバー10上方の拡散板30、拡散片40、プリズム片50、反射式偏光片60及び液晶面板70を外す。または反射ライトカバー10全体を液晶面板背部から外した後、交換したい照明ランプを反射ライトカバー10から外し、新しい照明ランプを組立交換する。そして新しい照明ランプを反射ライトカバー10内に固定し、最後に再び拡散板30、拡散片40、プリズム片50、反射式偏光片60及び液晶面板70の順に反射ライトカバー10上方に組み立てるか、もしくは反射ライトカバー10を液晶面板背部に組み立てる。このようにして直下式バックライトモジュールの交換が完成する。
【考案の開示】
【考案が解決しようとする課題】
【０００４】
解決しようとする問題点は、公知の直下式バックライトモジュール照明ランプの交換方法は、反射ライトカバー上の装置、もしくは反射ライトカバー全体を外さなければ、交換ができない点である。このため作業工程が多く、複雑で、交換の必要がある照明ランプの数がたとえ一個であろうと、反射ライトカバー上の装置、もしくは反射ライトカバー全体を外さなければならない。この他、反射ライトカバー及び照明ランプは相当な重量があるため、外す時に力を要し、注意を怠ると、直下式バックライトモジュールまたは液晶面板を壊してしまう。
【課題を解決するための手段】
【０００５】
本考案は、各照明ランプが各々取外し装置ないに固定され、その取外し装置は、反射ライトカバー底部に設置して各照明ランプの開槽箇所に対応する。その内部には凹槽が形成され、そこに照明ランプを納置する。凹槽の両側には定位部が成形され、その定位部によって取外し装置を反射ライトカバー底部に定位させている。照明ランプを交換するとき、取外し装置を下に向けるだけで、反射ライトカバーが外れることを最も主要な特徴とする。
【考案の効果】
【０００６】
本考案の照明ランプ取外し装置は、照明ランプを交換するとき、装置を下向きに反射ライトカバーから外すだけでよく、スピーディーで簡易であるという利点がある。
【考案を実施するための最良の形態】
【０００７】
以下、本考案の各実施例について、図面を参照しながら説明する。
【実施例１】
【０００８】
図2及び図3に示すとおり、直下式バックライトモジュールの基本構造は内から外に向かって順に反射ライトカバー10、複数の光源、拡散板30、拡散片40、プリズム片50、反射偏光片60及び保護面板70が設置される。そのうち、各光源は直線状、もしくはU字型、もしくはその他連続湾曲形状の照明ランプ20で、適する間隔で反射ライトカバー10と拡散板30間に設置される。そのうち反射ライトカバー10は内側の反射材13(例としてPETポリエチレン・テレフタラート)及び反射材13外側に固定したカバー体(例としてアルミバックボード・プラスチック板等)14から構成される。もし反射材13の材質が金属材(例として銀層)である場合は、別にカバー体を設置してもよいし、または反射材13外にカバー体を設置しなくてもよく、反射材13の材質により、照明ランブ2が射出する光線を拡散板30に反射し、そして各光学膜片から射出して液晶モジュールのディスプレイ効果を得る。
【０００９】
この各照明ランプ20は、それぞれシリコンカバー80によって取外し装置90内に固定されている。この取外し装置90は、反射ライトカバー10底部に設置し、各照明ランプ20の開槽11箇所に対応する。その内部は凹槽91が形成されて、そこに照明ランプ20が設置され、凹槽91の両側には定位部92が伸びる。図3に示すとおり、定位部92と反射ライトカバー10の貼り合わせ面上には定位ピン921が設置され、反射ライトカバー10は定位孔12に設置されて対応し、定位部92によって反射ライトカバー10と相互に嵌合されて固定する。
【実施例２】
【００１０】
図4に示すとおり、定位部91と反射ライトカバー10の貼り合わせ面上に、固定孔922を設置する。反射ライトカバー10には、ネジAを挿して対応する定位孔12が設置される。ネジAを定位部91と反射ライトカバー10に挿して固定し、続いて取外し装置90を反射ライトカバー10底部に固定する。
【００１１】
本考案の取外し装置90は、反射ライトカバー10底部に定位し、反射ライトカバー10底部の開槽11に対応する。この照明ランプ20は、反射ライトカバー10底部に突出して設置するか、もしくは反射ライトカバー10底部に凹設するか、どちらでも照明ランプ20の光源を液晶モジュールのディスプレイに放出する効果がある。もし照明ランプのひとつを交換する場合、この照明ランプ20の取外し装置90を下に向けるだけで、定位部91の定位ピン911が反射ライトカバー10の定位孔12から外れ、またはネジAを反射ライトカバー10の固定孔922から取外せば、取外し装置90及び内部の照明ランプ20を反射ライトカバー10から外せ、スムーズに交換または修理を行う。
【実施例３】
【００１２】
更に図5に示すとおり、定位部922は、凹槽91両側の適する位置に突出して設置された定位辺部922によって構成される。
【実施例４】
【００１３】
図6に示すとおり、この取外し装置90は、接着材100によって定位部91を反射ライトカバー10の底部に貼り付ける。もしくは両面接着テープによって定位部91を反射ライトカバー10と相互に貼り付けて固定し、スピーディーな交換を行う効果がある。
【図面の簡単な説明】
【００１４】
【図１】公知の直下式バックライトモジュールの構造断面図である。
【図２】本考案第一実施例の反射ライトカバーと取外し装置の構造立体分解図である。
【図３】本考案第一実施例の直下式バックライトモジュールの構造断面図である。
【図４】本考案第二実施例の直下式バックライトモジュールの構造断面図である。
【図５】本考案第三実施例の反射ライトカバーと取外し装置の構造立体分解図である。
【図６】本考案第四実施例の反射ライトカバーと取外し装置の構造立体分解図である。
【符号の説明】
【００１５】
A  ネジ
10  反射ライトカバー
11  開槽
12  定位孔
13  反射材
14  カバー体
20  照明ランプ
30  拡散板
40  拡散片
50  プリズム片
60  反射式偏光片
70  保護面板
80  シリコンカバー
90  取外し装置
91  凹槽
92  定位部
921  固定ピン
922  固定孔
923  定位辺部
100  接着剤
【図１】
0003105418.tif 000003
【図２】
0003105418.tif 000004
【図３】
0003105418.tif 000005
【図４】
0003105418.tif 000006
【図５】
0003105418.tif 000007
【図６】
0003105418.tif 000008